(57)【要約】【課題】ライフルスコープ、望遠鏡、双眼鏡、単眼鏡、または他のタイプの観察装置などの照準機構に作動調整を行うために使用されてよい調整機構を提供すること。【解決手段】１つの構成は、調整機構に連結された状態で保持され、その状態を維持する、ポップアップキャップを対象とし、このポップアップキャップは、キャップの回転が調整機構に係合しない第１の位置（通常は閉位置）と、キャップの回転が調整機構に係合する第２の位置（通常は拡張位置）との間を平行移動する。【選択図】図１
2008101903.tif 000002
【特許請求の範囲】
【請求項１】
照準器用の調整機構を係合するための装置において、前記照準器に連結された状態で保持され、その状態を維持するキャップを備えており、前記キャップは、第１の閉位置から第２の拡張位置まで平行移動し、前記第１の閉位置では、前記キャップの回転が前記調整機構を係合せず、前記第２の拡張位置では、前記キャップの回転が前記調整機構を係合する、装置。
【請求項２】
前記閉位置と前記拡張位置との間で、前記キャップを付勢または押勢する手段をさらに含む、請求項１に記載の装置。
【請求項３】
前記付勢または押勢する手段が、ばねである、請求項２に記載の装置。
【請求項４】
前記ばねが、波形ばねから構成される、請求項３に記載の装置。
【請求項５】
前記付勢または押勢する手段が、磁石から構成される、請求項２に記載の装置。
【請求項６】
前記付勢または押勢する手段が、前記キャップと前記調整機構との間に配設された第１および第２のディスク状の磁石を備えており、前記第１の磁石が前記キャップに取り付けられ、前記第２の磁石が前記調整機構に取り付けられる、請求項２に記載の装置。
【請求項７】
前記第１および第２の磁石の各々が、正反対の磁場配位を有し、前記磁石の互いに対する回転配列に応じて、前記磁石が、互いに反発し合うか、あるいは引き合う、請求項６に記載の装置。
【請求項８】
前記第１および第２の磁石が、ネオジム磁性材料から構成される、請求項６に記載の装置。
【請求項９】
前記第１および第２の磁石の各々が、正反対のＮ極およびＳ極を有し、第１の相対的な回転配列では、前記第１の磁石のＳ極が、前記第２の磁石のＮ極と一直線に並び、それによって前記第１および第２の磁石が互いに引き合い、第２の相対的な回転配列では、前記第１の磁石のＳ極が、前記第２の磁石のＳ極と一直線に並び、それによって前記第１および第２の磁石が反発して離れる、請求項７に記載の装置。
【請求項１０】
ライフルスコープ、双眼鏡、またはスポッティングスコープなどの照準器において、
手動で回転可能な部材を有するタイプの調整機構であって、前記手動で回転可能な部材は、前記照準器を調節するために、前記照準器上に回転可能に取り付けるように適合される、調整機構と、
前記調整機構に連結された状態で保持され、その状態を維持するキャップであって、前記キャップは、第１の位置および第２の位置の間を径方向に平行移動し、前記第１の位置は、前記照準器からの第１の径方向の距離にあり、前記第１の位置では、前記キャップの回転が前記調整機構を係合せず、前記第２の位置は、前記照準器からの第２の径方向の距離にあり、前記第２の位置では、前記キャップの回転が前記調整機構を係合して前記照準器の調整を可能にする、キャップとを備える、照準器。
【請求項１１】
前記キャップと前記調整機構との間の相互連結をさらに含み、前記相互連結が、前記キャップの径方向位置に応じて、前記調整機構の外面の平面部と選択的に係合する前記キャップの内面の平面部を含む、請求項１０に記載の照準器。
【請求項１２】
前記調整機構が前記キャップが前記第２の位置にあるときに、前記キャップの回転に応じて径方向に平行移動する調整ねじを含む、請求項１１に記載の照準器。
【請求項１３】
前記調整機構が、前記キャップを前記第１の位置と前記第２の位置との間で、付勢または押勢する手段を含む、請求項１１に記載の照準器。
【請求項１４】
前記第１の位置と前記第２の位置との間で、前記キャップを付勢するためのばね機構をさらに備える、請求項１２に記載の照準器。
【請求項１５】
前記ばね機構が、コイルばね、波形ばね、圧縮可能な空気袋、磁石、１対のディスク磁石、およびそれらの組合せからなる群から選択される、請求項１４に記載の照準器。
【請求項１６】
前記ばね機構が、前記キャップと前記調整機構との間に配設された第１および第２のディスク状の磁石を備えており、前記第１の磁石が、前記キャップに取り付けられ、前記第２の磁石が、前記調整機構に取り付けられる、請求項１４に記載の照準器。
【請求項１７】
前記第１および第２の磁石の各々が、正反対の磁場配位を有し、前記磁石の互いにに対する回転配列に応じて、前記磁石が、互いに反発し合うか、あるいは引き合う、請求項１６に記載の照準器。
【請求項１８】
前記第１および第２の磁石の各々が、正反対のＮ極およびＳ極を有し、第１の相対的な回転配列では、前記第１の磁石のＳ極が、前記第２の磁石のＮ極と一直線に並び、それによって前記第１および第２の磁石が互いに引き合い、第２の相対的な回転配列では、前記第１の磁石のＳ極が、前記第２の磁石のＳ極と一直線に並び、それによって前記第１および第２の磁石が反発して離れる、請求項１７に記載の照準器。
【請求項１９】
ライフルスコープ、双眼鏡、またはスポッティングスコープなどの照準器を調整する方法において、前記照準器は、手動で回転可能な部材を有するタイプの調整機構を有しており、前記手動で回転可能な部材は、前記照準器を調節するために、前記照準器上に回転可能に取り付けるように適合されており、
前記回転可能な部材を第１の径方向の位置から第２の径方向の位置に移動させる工程であって、（ａ）前記第１の径方向の位置では、前記回転可能な部材を回転させるときに前記調整機構が係合されず、（ｂ）前記第２の径方向の位置では、前記回転可能な部材を回転させるときに前記調整機構が係合される、工程と、
前記第２の径方向の位置にある間、前記照準器に対して所望の調整を行うために、前記回転可能な部材を回転させる工程とを含む、方法。
【請求項２０】
第１および第２のディスク磁石を含む工程であって、前記第１の磁石が前記回転可能な部材に取り付けられ、前記第２の磁石が前記調整機構に取り付けられ、前記第１および第２の磁石の各々が、正反対のＮ極およびＳ極を有し、第１の相対的な回転配列では、前記第１の磁石のＳ極が、前記第２の磁石のＮ極と一直線に並び、それによって前記第１および第２の磁石が互いに引き合い、第２の相対的な回転配列では、前記第１の磁石のＳ極が、前記第２の磁石のＳ極と一直線に並び、それによって前記第１および第２の磁石が反発して離れる、工程と、
前記回転可能な部材を、前記第１の相対的な回転配列から前記第２の相対的な回転配列まで回転させる工程であって、前記第２の相対的な回転配列では、前記磁石が反発し、それによって、第１の径方向の位置から第２の径方向の位置まで、前記回転可能な部材を作動させる、工程とをさらに含む、請求項１９に記載の方法。
【発明の詳細な説明】
【技術分野】
【０００１】
本発明の分野は、一般に、ライフルスコープまたはスポッティングスコープあるいは他のタイプの望遠光学システムなどの照準器上で調整可能な機能を作動させるための装置に関する。
【背景技術】
【０００２】
ライフルスコープ、双眼鏡、および望遠鏡などの望遠照準器は、スコープの内部構造を作動させるための外部調整機構またはノブを含むことができる。例えば、ライフルスコープは、通常、ハンターのライフルを選択された標的に向けるために、ハンターによって使用される。弾丸の弾道、風の状態、および標的までの距離は、射撃条件によって変わり得るので、良質のライフルスコープは、射撃者に、その光学特性、または、その上にライフルスコープが取り付けられた銃器に対するライフルスコープ照準にちょっとした調整を行わせることにより、こうした条件における変動に対する補正を提供する。こうした調整は、仰角調整およびウィンデージ（気擦、風損）調整として知られており、通常、Ｌｅｕｐｏｌｄの米国特許第３，０５８，３９１号に示されるように、ライフルスコープ内に配置された目盛付きレンズなどの調整部材が側方に移動することにより、あるいはＧｉｂｓｏｎの米国特許第３，２９７，３８９号および同第４，４０８，８４２号に示されるように、観測された光の光学経路を、それが目盛付きレンズに到達する前にそらすように、ライフルスコープのハウジング内のピボットチューブに取り付けられたレンズが枢動することにより、行われる。こうした設計では、射撃者は、調整部材に動作可能に連結された、通常は互いに直角に延ばされた２つの側方に突出する調整ノブまたは調整ねじを用いて、ウィンデージおよびホールドオーバの調整を行う。ハウジングと調整部材の間に配置された調整ノブの反対側のばねは、調整部材が調整ノブのプランジャねじの移動に従うように、調整ノブに対して調整部材を付勢する。別の外部調整機構は、焦点である。米国特許第６，３５１，９０７号は、内部レンズ要素の位置が、焦点を変更するためにそれによって軸方向に調整される外部焦点調整機構を開示している。
【０００３】
こうした様々な外部調整機構では、調整ノブが、内部レンズ表面上の曇りおよび凝結を防止するために、ハウジングの内側で乾いた、すなわち不活性のガス充填を維持するようにハウジングに対して密封されてよい。
【０００４】
こうした調整機構またはノブは、容易にアクセス可能であり、さらには、調整機構が、ノブに当たるなど不注意に調整されることを防ぐためのなんらかの手段を含むことが望ましい。そのような不注意な調整を防ぐための１つの方法は、取り外し可能なキャップを設けることによるものである。キャップは、汚れまたは損傷からの物理的保護および不注意な調整からの物理的分離の両方をもたらすが、内部調整機構にアクセスするためには取り外されねばならない。さらに、キャップが取り外された後、通常、ユーザは、そのキャップをポケットまたは他の場所に置き、それによってキャップが失われてしまうことがある。
【特許文献１】米国特許第３，０５８，３９１号
【特許文献２】米国特許第３，２９７，３８９号
【特許文献３】米国特許第４，４０８，８４２号
【特許文献４】米国特許第６，３５１，９０７号
【特許文献５】米国特許第６，５１９，８９０号
【発明の開示】
【発明が解決しようとする課題】
【０００５】
本発明は、ライフルスコープ、望遠鏡、双眼鏡、単眼鏡または他のタイプの観察装置などの照準機構に作動調整を行うために使用されることができる調整機構に関する。
【課題を解決するための手段】
【０００６】
本発明は、照準器用の調整機構を係合するための装置において、前記照準器に連結された状態で保持され、その状態を維持するキャップを備えており、前記キャップは、第１の閉位置から第２の拡張位置まで平行移動し、前記第１の閉位置では、前記キャップの回転が前記調整機構を係合せず、前記第２の拡張位置では、前記キャップの回転が前記調整機構を係合する。
【０００７】
前記閉位置と前記拡張位置との間で、前記キャップを付勢または押勢する手段をさらに含む。前記付勢または押勢する手段が、ばねである。または前記ばねが、波形ばねから構成される。前記付勢または押勢する手段が、磁石から構成される。前記付勢または押勢する手段が、前記キャップと前記調整機構との間に配設された第１および第２のディスク状の磁石を備えており、前記第１の磁石が前記キャップに取り付けられ、前記第２の磁石が前記調整機構に取り付けられる。前記第１および第２の磁石の各々が、正反対の磁場配位を有し、前記磁石の互いに対する回転配列に応じて、前記磁石が、互いに反発し合うか、あるいは引き合う。前記第１および第２の磁石が、ネオジム磁性材料から構成される。前記第１および第２の磁石の各々が、正反対のＮ極およびＳ極を有し、第１の相対的な回転配列では、前記第１の磁石のＳ極が、前記第２の磁石のＮ極と一直線に並び、それによって前記第１および第２の磁石が互いに引き合い、第２の相対的な回転配列では、前記第１の磁石のＳ極が、前記第２の磁石のＳ極と一直線に並び、それによって前記第１および第２の磁石が反発して離れる。
【０００８】
さらに、本発明は、ライフルスコープ、双眼鏡、またはスポッティングスコープなどの照準器において、手動で回転可能な部材を有するタイプの調整機構であって、前記手動で回転可能な部材は、前記照準器を調節するために、前記照準器上に回転可能に取り付けるように適合される、調整機構と、前記調整機構に連結された状態で保持され、その状態を維持するキャップであって、前記キャップは、第１の位置および第２の位置の間を径方向に平行移動し、前記第１の位置は、前記照準器からの第１の径方向の距離にあり、前記第１の位置では、前記キャップの回転が前記調整機構を係合せず、前記第２の位置は、前記照準器からの第２の径方向の距離にあり、前記第２の位置では、前記キャップの回転が前記調整機構を係合して前記照準器の調整を可能にする、キャップとを備える。
【０００９】
前記キャップと前記調整機構との間の相互連結をさらに含み、前記相互連結が、前記キャップの径方向位置に応じて、前記調整機構の外面の平面部と選択的に係合する前記キャップの内面の平面部を含む。前記調整機構が前記キャップが前記第２の位置にあるときに、前記キャップの回転に応じて径方向に平行移動する調整ねじを含む。前記調整機構が、前記キャップを前記第１の位置と前記第２の位置との間で、付勢または押勢する手段を含む。前記第１の位置と前記第２の位置との間で、前記キャップを付勢するためのばね機構をさらに備える。前記ばね機構が、コイルばね、波形ばね、圧縮可能な空気袋、磁石、１対のディスク磁石、およびそれらの組合せからなる群から選択される。前記ばね機構が、前記キャップと前記調整機構との間に配設された第１および第２のディスク状の磁石を備えており、前記第１の磁石が、前記キャップに取り付けられ、前記第２の磁石が、前記調整機構に取り付けられる。前記第１および第２の磁石の各々が、正反対の磁場配位を有し、前記磁石の互いにに対する回転配列に応じて、前記磁石が、互いに反発し合うか、あるいは引き合う。前記第１および第２の磁石の各々が、正反対のＮ極およびＳ極を有し、第１の相対的な回転配列では、前記第１の磁石のＳ極が、前記第２の磁石のＮ極と一直線に並び、それによって前記第１および第２の磁石が互いに引き合い、第２の相対的な回転配列では、前記第１の磁石のＳ極が、前記第２の磁石のＳ極と一直線に並び、それによって前記第１および第２の磁石が反発して離れる。
【００１０】
さらに本発明は、ライフルスコープ、双眼鏡、またはスポッティングスコープなどの照準器を調整する方法において、手動で回転可能な部材を有するタイプの調整機構を有しており、前記手動で回転可能な部材は、前記照準器を調節するために、前記照準器上に回転可能に取り付けるように適合されており、前記回転可能な部材を第１の径方向の位置から第２の径方向の位置に移動させる工程であって、（ａ）前記第１の径方向の位置では、前記回転可能な部材を回転させるときに前記調整機構が係合されず、（ｂ）前記第２の径方向の位置では、前記回転可能な部材を回転させるときに前記調整機構が係合される、工程と、前記第２の径方向の位置にある間、前記照準器に対して所望の調整を行うために、前記回転可能な部材を回転させる工程とを含む。
【００１１】
第１および第２のディスク磁石を含む工程であって、前記第１の磁石が前記回転可能な部材に取り付けられ、前記第２の磁石が前記調整機構に取り付けられ、前記第１および第２の磁石の各々が、正反対のＮ極およびＳ極を有し、第１の相対的な回転配列では、前記第１の磁石のＳ極が、前記第２の磁石のＮ極と一直線に並び、それによって前記第１および第２の磁石が互いに引き合い、第２の相対的な回転配列では、前記第１の磁石のＳ極が、前記第２の磁石のＳ極と一直線に並び、それによって前記第１および第２の磁石が反発して離れる、工程と、前記回転可能な部材を、前記第１の相対的な回転配列から前記第２の相対的な回転配列まで回転させる工程であって、前記第２の相対的な回転配列では、前記磁石が反発し、それによって、第１の径方向の位置から第２の径方向の位置まで、前記回転可能な部材を作動させる、工程とをさらに含む。
【発明を実施するための最良の形態】
【００１２】
次に、図を参照して好ましい実施形態を説明する。好ましい実施形態は、ライフルスコープまたはスポッティングスコープ用の調整組立体に関して説明されるが、調整機構は、また、双眼鏡、単眼鏡、および他のタイプの光学の観察または照準機構で使用されてもよい。
【００１３】
図１〜図１２は、照準機構に取り付けられてもよい調整機構３０の第１の実施形態を示す。図１および図２は、装置３０がライフルスコープ１０上の砲塔部１５で取り付けられている状態を示す。図１は、調整機構３０の分解図である。図２は、調整ねじすなわちプランジャ１１５が上方位置にある機構を断面図で示す。調整機構の上部が下部に対して回転することにより、調整ねじ１１５が、図２に示される上方位置から図４に示される内側に拡張した位置に平行移動され、それによってライフルスコープ１０内の枢動要素１２の調整が可能になる。
【００１４】
次に、調整装置３０の構成要素の各々が、詳細に説明される。装置３０の下部は、ライフルスコープ１０の外側ハウジングの円形の開口部内に着座する、下部の円筒形の延在部分を有するホルダ片１３０を含む。ホルダ１３０は、調整フランジ８０によって定位置に保持される。調整フランジ８０は、ライフルスコープの砲塔部分１５の雌ねじ部１６と係合する下部雄ねじ部８３（図１１に示されるように）を有する。Ｏリング１２０が、ホルダ１３０、ライフルスコープ１０の外面、および調整フランジ８０の下部内の突起部の間の空洞に配設されて、それらの間に密封面を提供する。ホルダ１３０は、調整ねじ１１５の下部矩形部１１６を摺動自在であるが非回転式に受けるための幾分矩形形状を有する中央開口部１３２を含む。調整ねじ１１５のネジ山部１１７は、調整ナット９０内の雌ねじ部と係合し、その結果、調整ナット９０が回転されるとき、調整ねじ１１５が、ホルダ１３０内の開口部１３２の平坦な側面によって回転することが防止され、それによって、調整ねじ１１５を軸方向に平行移動させる。
【００１５】
調整ナット９０が、Ｏリング１１０に押し付けて着座され、調整フランジ８０によって定位置に保持される。テフロン製ガスケット１２５が、ホルダ１３０に対する調製ナット９０の回転を促すためにＯリング１１０下方のホルダ１３０の上面に配設される。クリックリング１００が、調整フランジ８０の内面に連結され、調整ナット９０の外面の周りに配設される。ばね９５およびカップ状のプランジャ９６が、調整ナット９０内の径方向の開口９９内に配設される。ばね９５は、プランジャ９６を径方向外側へと押勢する。ボール軸受け９７が、プランジャ内の穴またはチャネル内に配設され、組み込まれると、ボール軸受け９７は、クリックリング１００のギア歯１０２に対して付勢される。したがって、調整ナット９０が、静止したクリックリング１００および調整フランジ８０に対して回転されるとき、ユーザは、ギア歯を通過する度にボール９７のクリック音を感じるおよび／または聞くことができ、このとき、各々のクリックは、調整ナット９０の所望の回転平行移動を示す。したがって、調整ナット９０の回転に応答して、ボール軸受け９７は、各々がライフルスコープ１０内の枢動要素１２の増分の垂度調整（上方または下方）を示す触知できるクリックによって、クリックリング１００のギア歯１０２に対して位置合わせする。ライフルスコープ用の触知性のフィードバック機構のさらなる詳細が、米国特許第６，５１９，８９０号に開示されており、これが参照によって本明細書に組み込まれる。Ｏリング１０５が、調整フランジ８０と調整ナット９０の係合表面９２のみぞ内の間に、２つの部分間のシールとして配設されて、汚れまたは他の汚染物質がそれらの間を通過することを防止する。
【００１６】
調整フランジ８０は、両側に、レンチを受けるための１対の横向きの切欠部または平面部８８を含む。組立て中、レンチは、平面部８８と係合して、調整フランジ８０を下部ねじ部８３がライフルスコープの砲塔１５上の内側のねじ部１６に係合する状態で回転させ、かつフランジ８０を定位置に固定するために使用される。調整ナット９０は、上方向に延びる円筒形部分９２および径方向に外側に延びる肩部９１を含む。
【００１７】
上部の回転部分は、上部トップキャップ３２などの手動で回転可能な部材、波形ばね３８、位置決めねじ４３、４４、４５によって調整ナット９０の係合表面９２に固定された指標リング４０、Ｏリング５４、キャップキー６０、およびキャップキー６０内に配設された押さえリング５６を含む。キャップ３２は、ユーザによって把持され、調整機構を作動させるためのアクチュエータまたはノブの目的を果たす。キャップ３２は、その外部円周表面の周りに握り用切欠部３３を有して調整時のユーザによる把持を容易にする。キャップ３２は、所望の構造に応じて、内部空洞を有しても有さなくてもよい。
【００１８】
ガスケット７２が、調整フランジ８０のみぞ８２内に配設され、このみぞ８２は、上部ねじ部８３と下部ねじ部８４の間の位置にある。
図１に「Ａ」と示される上部は、押さえリング５６をキャップキー６０の内部環状表面に配置されたみぞ６６内に挿入することによって組み立てられる。次いで、押さえリング５６は、指標リング４０の肩部４７の直径よりも小さい直径を有する内側に延びる肩部を形成する。指標リング４０の下部の外径は、押さえリング５６内の中央部分の中を自由に摺動する、より小さい直径である。キャップキー６０は、両側の内部表面に配設された平面部６４ａ、６４ｂを含む。平面部６４ａ、６４ｂは、指標リング４０上のフランジ肩部４７より小さな直径のキャップキー６０の両側に内部肩部分を形成する。このフランジ肩部４７は、その両側に、キャップキー６０内の平面部６４ａ、６４ｂに対応する平面部４８ａ、４８ｂを含む。平面部４８ａ、４８ｂが、平面部６４ａ、６４ｂと位置合わせされるとき、平面部４８ａ、４８ｂ間のフランジ肩部４７の直径は、平面部６４ａ、６４ｂ間の直径よりも小さいものであり、フランジ肩部４７が押さえリング５６に接触するまで、フランジ肩部４７が平面部６４ａ、６４ｂを通過することを可能にする。（押さえリング５６に接触する）この位置では、ねじ穴４３ａ、４４ａ、４５ａは、キャップキー６０の下部密封面６９の下方にあり、指標（インデックス）リング４０が、位置決めねじ４３、４４、４５によって調整ナット９０上の係合表面９２に固定される。
【００１９】
波形ばね３８が、キャップ３２と指標リング４０との間に配置される。キャップ３２の下面にある雌内部ねじ部３４は、キャップキー６０上の雄ねじ部６２とねじ込み式に係合する。キャップ３２が、定位置にあるとき、ばね３８は、屈曲されて圧縮状態になる。こうした圧縮状態では、ばね３８は、指標リング４０に対してキャップ３２およびキャップキー６０に上向きの付勢力をかける。Ｏリング５４が、キャップ３２の内部表面とねじ部６２の下方のキャップキー６０の外部表面との間に配設されて、これら２つの要素の間に摩擦嵌合をもたらす。キャップ３２は、その外部円周表面の周りに握り用切欠部３３を有して調整時のユーザによる把持を容易にする。Ｏリング５４は、キャップ３２に対して所望の摩擦嵌合をもたらし、その結果、キャップ３２は、調整機構３０の正常運転中キャップキー６０に対して回転しなくなる。あるいは、キャップ３２は、ねじ部を接着することによってなど何らかの他の機構によって、キャップキー６０に固定して連結されてよい。そのような構造では、Ｏリング５４は除かれてよい。
【００２０】
次に、図２〜図４を具体的に参照して、装置の作動を説明する。図２は、ばね３８が圧縮位置にあり、キャップキー６０の下部内部ねじ部６８が調整フランジ８０のねじ部８３に係合された、閉位置にある調整機構３０を示す。キャップキー６０の下部表面６９が、ワッシャ７２に係合され、外部要素に対する密封をもたらす。
【００２１】
調整状態に進めるには、ユーザは、トップキャップ３２を把持し、それを反時計回り方向にまわしてキャップキーのねじ部６８をフランジねじ部８３から外す。ねじ部が外された後、次いで、ばね３８が、フランジ肩部４７が平面部６４ａ、６４ｂに接触するまで、キャップ部分（キャップ３２およびキャップキー６０）を上向きに（指標リング４０に対して）押勢する。次いで、ユーザは、キャップ３２を引き続き回転させて、平面部４８ａ、４８ｂを平面部６４ａ、６４ｂと位置合わせするように位置決めする。そのとき、ばね３８は、フランジ肩部４７が押さえリング５６に接触するまで、キャップ３２およびキャップキー６０を上向きに押勢し続ける。
【００２２】
押さえリング５６は、指標リング４０の材料とは異なる材料で製造される。好ましくは、押さえリング５６は、所望の摺動接触を可能にするために、プラスチックまたは他の適切な（複数の）音減衰材料（ｓｏｕｎｄ−ｄａｍｐｅｎｉｎｇ  ｍａｔｅｒｉａｌ（ｓ））で製造される。指標リング４０および他の要素がアルミニウムで構築される例では、押さえリングは、プラスチック、黄銅または銅で構築されてよい。
【００２３】
キャップ３２が、図３に示されるように、上方の拡張位置まで平行移動されると、キャップ３２およびキャップキー６０の組合せは、平面部４８ａ、４８ｂと平面部６４ａ、６４ｂの係合により、指標リング４０と共に回転するようにそれに回転式に固定される。図３に示されるように、調節ねじ１１５は、上方位置にある。キャップ３２を回転させることにより、指標リング４０が、（キャップキー６０に係合された状態で）回転され、それによって、調整ナット９０を回転させる。調整ナット９０を回転させることにより、平面部１１６と対応する平面部１３２およびホルダ１３０との係合によりそれ自体が回転することが防止されている調整ねじ１１５が、図３に示される収縮位置から図４に示される拡張位置まで軸方向に平行移動する。したがって、調整ねじ１１５は、キャップ部分３２の回転により、ライフルスコープのハウジング１０に対する所望の位置に外側にまたは内側に調整され得る。調整ねじ１１５が、所望の位置に平行移動された後、ユーザは、キャップ３２を下向きに押して平面部６４ａ、６４ｂを平面部４８ａ、４８ｂから外し、次いで、キャップキーのねじ部６８を調整フランジ８０のねじ部８３にねじ込み、装置を図１のような閉位置に戻すことにより、キャップの組合せ３２／６０を閉める。こうした係合解除が、調整機構の偶発的な／予期せぬ動作から保護するような働きをする。
【００２４】
図７に示されるように、指標リング４０は、ユーザが所望の調整を達成することを助けるために、その外側周辺の周りに指標マーキング４２を含む。
こうした調整機構の指標リング４０とキャップの組合せ３２／６０の間に、ばねまたは付勢機構を提供するために利用可能な機構が、いくつか存在している。波形ばね３８が、好ましいばね形状を提供するが、コイルばねまたは板ばねなどの他のタイプのばねが使用されてもよい。別のタイプのばねは、トップキャップ３２と指標リング４０の間の空洞に配設された圧縮可能な空気袋を備えることができる。別のばね機構は、１つまたは複数の磁石、または上記の組合せを使用することを含むことができる。例えば、（図１３に示される磁石２３８、２３９と同様に配向された）１対のディスク磁石が、トップキャップ２３２と指標リング２４０との間に配設されてよい。従来の磁石を使用する１つの形状では（磁石の極が、ディスクの頂部側と底部側にある場合）、上部磁石２３８が、磁石のＮ極を下向きにしてキャップ２３２の下側に接着することによって取り付けられ、下部磁石２３９が、そのＮ極を上向きにして指標リング２４０に取り付けられる。こうした配置では、磁石２３８、２３９は、指標リング２４０とトップキャップ２３２を離れさせようとする対抗力を生み出して、第１の実施形態のばね３８と同様の形で機能するはずである。
【００２５】
図１３〜図１５に具体的に示された別の好ましい実施形態は、構成要素間の付勢／ばね機構を提供するための独自の磁場配位を使用する。こうした実施形態の構成要素は、図１〜図１２の第１の実施形態のものと同様であり、同じ番号の要素は、第１の実施形態と同一であり、こうした要素の説明は、簡潔にするために省略される。代替のシステム２３０では、第１の磁石２３８が、トップキャップ２３２の上面の下側に取り付けられる。キャップキー２６０は、先の実施形態のキャップキー６０とは幾分異なる形状を有する。キャップキー２６０の上部は、トップキャップ２３２の内側のねじ部２３４と係合するねじ部２６２を含む。好ましくは、キャップ２３２は、連結しているねじ部間への接着剤によってなどで、キャップキー２６０に永久的に固定されるが、第１の実施形態のＯリング５４など、所望の締め付けねじ強さを保証するのに適した別の手段を備えることができる。したがって、図１３に示されるＯリング５４は、（形状に応じた）任意選択のものであり、そのため図１４〜図１５には示されない。
【００２６】
第２の磁石２３９が、接着剤（または他の適切な取付機構）によって指標リング４０の上部空洞に取り付けられる。磁石２３８および２３９は、正反対の磁場配位を有するディスク状のものである。一般的なライフルスコープ用の調整機構の場合、ディスク磁石は、ほぼ米国の５セント硬貨サイズのものである。好ましいサイズは、直径約１．９０５ｃｍ（０．７５０インチ）、厚さ０．２４ｃｍ（０．０９５インチ）である。強力なクラスの磁石が好ましく、適切な磁石は、黒ニッケルでコーティングされたネオジムＮ５０クラスの磁性材料から製造される。正反対の配位とは、図に示されるように、各々の磁石のＮ極およびＳ極（「Ｎ」と「Ｓ」で示される）が、（ディスクの直径の）対向する側面に沿って配列されているようなものである。
【００２７】
図１４では、トップキャップ部分２３２が、下部磁石２３９のＮ極が磁石２３８のＳ極と隣接し、また反対側ではその反対にして、磁石を配向（配置）するように回転され、したがって、磁石は互いに引き合い、機構の上部を、キャップキー２６０の底面２６９がガスケット７２に対して係合された密封構成で、閉位置に維持する。上部が、ほぼ９０°に回転され、次いで、図１５に示されるように１８０°まで回転されるとき、磁石のＮ極は、互いに一直線に並ぶようになり（Ｓ極も同様に）、したがって、このとき、磁石は、上部を下部から引き離そうとする反発力を互いにもたらす。拡張位置になると、指標リング２４０とキャップキー２６０との間の連結機構が、係合され（連結機構は、キャップキー２６０の内面上の平面部２６４ａ、ｂと指標リング上の平面部４８ａ、ｂの係合を含む）、それにより、トップキャップ２３２の回転が、調整ねじ１１５の位置を調整する働きをする。
【００２８】
こうした正反対の磁場配位では、Ｎ極とＳ極は、平面部４８ａ、４８ｂが平面部２６４ａ、２６４ｂに位置合わせされるとき、上部磁石２３８のＮ極が下部磁石２３９のＳ極と一直線に並べられるように配列される。したがって、トップキャップ２３２を把持するユーザが、磁石の引力に打ち勝つのに十分な上向きの力をトップキャップ２３２にかける場合、キャップ部分は、最初にキャップ２３２を回転させる必要無しに、上方の拡張位置に平行移動することになり、したがって迅速な回転調整が可能になる。
【００２９】
所望の強力なタイプの磁石を使用すると、引力は、非常に高くなり、軸方向に平行移動させるよりもよりいっそう容易にキャップを回転させる。キャップ２３２が回転されるとき（例えば時計回り）、磁石は、軸方向の引力だけでなく回転力も発生させる。無操作時の引力の状態（図１４のように磁石２３９のＮ極が磁石２３８のＳ極と一直線に並んだ状態）を０°と想定すると、キャップが、時計回りに回転されるとき、戻ろうとする反時計回りの回転力（０°に戻る）が、磁石によって発生される。この戻ろうとする回転力は、回転位置が約９０°に達するまで徐々に増大し、次いで、回転力がほぼ０になる約１８０°に達するまで低減していく。１８０°を超えると、回転力は、逆転し、回転位置を時計回りに３６０°方向に押勢する。さらに、回転位置が９０°を超えるとき、正味の軸方向の引力は、０まで低減し、次いで、９０°を超えた後は、軸方向の力が最大１８０°に到達する反発力に逆転する。１８０°では、平面部４８ａ、４８ｂが、平面部２６４ａ、２６４ｂに位置合わせされ、それにより、図１５に示されるように、キャップ部分が上方に軸方向に平行移動（キャップが磁石の反発力によって上向きに押勢されている）して係合状態になることが可能になる。平面部２６４ａ、２６４ｂが係合された状態では、指標リング２４０が、キャップ２３２の回転を介して回転されて第１の実施形態のような調整ねじ１１５の調整が可能になる。
【００３０】
上記の実施形態は、連結機構をもたらすために、指標リングとキャップリングとの間に平面部を使用する。他の適切な連結機構としては、スプラインまたはギア、差込コネクタ、あるいはさらには、子供が空けられない様々な蓋などに使用されるものなどの手動で作動される機構などが使用されてよい。図１６〜図１９は、１つのそのような代替の連結の仕組みを使用する実施形態を示す。こうした実施形態の構成要素は、図１〜図１２および／または図１３〜図１５の上記の実施形態のものと類似したものであり、同じ要素は、上記の（複数の）実施形態と同一のものであり、こうした要素の説明は、簡潔にするために省略される。代替のシステム３３０では、第１の磁石２３８が、トップキャップ２３２の上面の下側に取り付けられる。キャップキー３６０は、上記の実施形態のキャップキーとは幾分異なる形状のものである。キャップキー３６０の上部は、トップキャップ３３２の内側のねじ部３３４と係合するねじ部３６２を含む。好ましくは、キャップ３３２が、連結しているねじ部間への接着剤によってなどで、キャップキー３６０に永久的に固定されるが、図１〜図１２の第１の実施形態のＯリング５４など、所望の締め付けねじ強さを保証するのに適した別の手段を備えることができる。キャップキー３６０は、径方向に内側に延びるスプラインまたはギア３６１をその下部に含む。こうしたスプライン３６１は、指標リング３４０内の対応するスプライン３４１と係合する。したがって、スプラインはどのような回転位置でも係合することができるので、キャップ３３２は、平面部を使用する実施形態のように１８０°の位置合わせ位置で回転される必要はなくなる。上記の実施形態と同様に、トップキャップ部分３３２が、下部磁石２３９のＮ極が上部磁石２３８のＳ極と隣接し、また反対側ではその反対にして配向するように回転され、したがって、磁石は、互いに引き合い、機構の上部を、キャップキー３６０の底面３６９がガスケット７２に対して係合された密封構成で、閉位置に維持する。
【００３１】
図１６〜図１９のスプライン／ギア係合機構が、磁場配位と共に示されているが、そのような係合機構は、特に図１〜１２のばね形状に適することがある。
様々な他のばねおよび磁石の組合せが、想定される。例えば、磁場配位は、ディスク磁石２３８、２３９がＮ極およびＳ極が上面および底面にある従来の形状のものであることを除いては、図１３〜図１５または図１６〜図１９の配位に類似している。２つの磁石が、反対極が互いに向き合って配列される場合、磁石は、回転の向きに関係なく互いに引き合う。磁石を分離するには、ユーザが、磁石の磁気引力に打ち勝ち、上部を下部から離して平行移動させ、したがって（図１３〜図１５の平面部４８ａ／４８ｂと２６４ａ／２６４ｂまたは図１６〜図１９のスプライン３４１と３６１などの）連結機構の係合を可能にするのに十分な力をキャップ２３２にかける。キャップの開放時、磁石の引力が、キャップ２３２を閉位置に戻そうとする。
【００３２】
ばね機構が、上記の磁石の代わりに使用されてよく、それにより、ばねは、（圧縮状態ではなく）緊張状態に置かれ、一方の端部とトップキャップおよび底部と指標リングで連結される。緊張状態では、ばねは、常に、上部キャップ部分を閉位置に向けて下側に押勢する。キャップが回転されたときにばねが回転することを回避できる適切な機構が、提供されてよい。あるいは、キャップの回転が、ばねの緊張度を調整することができる。他のばねの実施形態は、ばねの軸方向または回転の緊張度によるばね力調整を含むことができる。
【００３３】
さらに別の代替の実施形態では、ばねおよび磁石が全て省かれてよい。例えば、図１〜図１２の実施形態では、ばね３８が省かれた場合、キャップの組合せ（３２／６０）と指標リング４０の間に付勢力はないはずであるが、ユーザが、収縮された閉位置（図２）と拡張位置（図３）の間で、簡単に手動で付勢することができる。装置には、平面部６４ａ、６４ｂ内にいくらかの摩擦嵌合を有する平面部４８ａ、４８ｂを設計するなど、キャップの組合せ３２／６０を拡張位置に多少でも保持するための適切な機構が設けられてよい。
【００３４】
したがって、上記で説明された実施形態の特定のものによれば、本分野では、ウィンデージまたは仰角の変更（例えば）が要求されるとき、調整システムは、ユーザが工具を使用することなく、あるいは（複数の）スコープキャップを外すことなく照準器にウィンデージまたは仰角調整を行うことを可能にする。つなぎ留め式のポップアップをそのロック位置から半回転させることにより、ユーザがキャップを持ち上げ、調節ノブを回して所望の調整を行うことが可能になる。
【００３５】
このように、好ましいレンズシステムおよび接眼レンズの形状が、示され、説明されてきた。接眼レンズの具体的な実施形態および用途が、示され、説明されてきたが、本明細書で説明された本発明の概念から逸脱することなく、他の改変形態、代替形態、および変形形態が可能であることは、当業者には明白であろう。したがって、本発明は、そのような改変形態、代替形態、および変形形態を全て包含するものとする。
【図面の簡単な説明】
【００３６】
【図１】好ましい実施形態による調整機構の分解図である。
【図２】ライフルスコープ上で定位置に組み立てられた状態で示され、キャップが閉位置にある、図１の調整機構の横断面図である。
【図３】キャップが開放位置にあり、調整ねじが引っ込められた位置にある、図１〜図２の調整機構の横断面図である。
【図４】キャップが開放位置にあり、調整ねじが拡張位置にある、図１〜図３の調整機構の横断面図である。
【図５】線５−５に沿って切り取られた図４の横断面図である。
【図６】線６−６に沿って切り取られた図４の横断面図である。
【図７】図１の指標リング要素の詳細図である。
【図８】線８−８に沿って切り取られた図７の平面図である。
【図９】図１のキャップ要素の詳細図である。
【図１０】線１０−１０に沿って切り取られた図９の横断面図である。
【図１１】図１の調整フランジ要素の詳細図である。
【図１２】図１の調整ナット要素の詳細図である。
【図１３】別の好ましい実施形態による調整機構の分解図である。
【図１４】ライフルスコープ上で定位置に組み立てられた状態で示され、キャップが閉位置にある、図１３の調整機構の横断面図である。
【図１５】キャップが開放位置にあり、調整ねじが引っ込められた位置にある、図１３〜図１４の調整機構の横断面図である。
【図１６】別の好ましい実施形態による調整機構の分解図である。
【図１７】ライフルスコープ上で定位置に組み立てられた状態で示され、キャップが閉位置にある、図１６の調整機構の横断面図である。
【図１８】図１６〜図１７の実施形態のキャップ要素の詳細図である。
【図１９】キャップが開放位置にあり、調整ねじが引っ込められた位置にある、図１６〜図１７の調整機構の横断面図である。
【符号の説明】
【００３７】
１０  ライフルスコープ
１２  枢動要素
１５  砲塔
１６  雌ねじ部
３０  調整機構
３２、２３２、３３２  トップキャップ
３３  切欠部
３４  雌ねじ部
３８  波形ばね
４０、２４０、３４０  指標リング
４２  指標マーキング
４３、４４、４５  位置決めばね
４７  肩部
４８ａ、４８ｂ、６４ａ、６４ｂ、２６４ａ、２６４ｂ  平面部
５４  Ｏリング
５６  押さえリング
６０、２６０、３６０  キャップキー
６２、２６２、３６２  雄ねじ部
６８  キャップキーのねじ部
６９  下部密封面
７２  ガスケット
８０  調整フランジ
８２  みぞ
８３  下部雄ねじ部
８４  下部ねじ部
８８  平面部
９０  調整ナット
９１  径方向の外側に延びる肩部
９２  係合表面
９５  ばね
９６  カップ状のプランジャ
９７  ボール軸受け
９９  径方向の開口
１００  クリックリング
１０２  ギア歯
１１０、１０５、１２０  Ｏリング
１１５  調整ねじ
１１６  矩形部分
１１７  ねじ部
１２５  テフロン製ガスケット
１３２  開口部
１３０  ホルダ
２３０、３３０  代替のシステム
２３４、３３４  内側のねじ部
２３８、２３９  磁石
２６９  底面
３４１、３６１  スプライン
【図１】
2008101903.tif 000003
【図２】
2008101903.tif 000004
【図３】
2008101903.tif 000005
【図４】
2008101903.tif 000006
【図５】
2008101903.tif 000007
【図６】
2008101903.tif 000008
【図７】
2008101903.tif 000009
【図８】
2008101903.tif 000010
【図９】
2008101903.tif 000011
【図１０】
2008101903.tif 000012
【図１１】
2008101903.tif 000013
【図１２】
2008101903.tif 000014
【図１３】
2008101903.tif 000015
【図１４】
2008101903.tif 000016
【図１５】
2008101903.tif 000017
【図１６】
2008101903.tif 000018
【図１７】
2008101903.tif 000019
【図１８】
2008101903.tif 000020
【図１９】
2008101903.tif 000021
【外国語明細書】
2008101903000001.pdf